(57)【要約】【課題】電力設定が容易でかつ現在の電力設定内容を即座に把握することができて使い勝手の良い電磁誘導加熱調理器を提供する。【解決手段】電力設定手段２により加熱手段１の加熱電力が複数段階に設定される場合に対応して、各段階の設定電力を一つおきに間引きした残りの段階の設定電力の数に相当する個数の点灯表示部ＰＬ３〜ＰＬ８を設け、制御手段５によって、設定電力の大きさが、間引き後の残りの設定電力に該当する場合にはこの設定電力に該当する点灯表示部を含めそれよりも小さい側に位置する各点灯表示部を全て常時点灯状態にする一方、間引きされた中間段階の設定電力に該当する場合には、この設定電力よりも小さい側に位置する各点灯表示部を全て常時点灯状態に、この設定電力よりも一つ大きい側に位置する点灯表示部を点滅状態になるようにする。【選択図】図１
2012094458.tif 000002
【特許請求の範囲】
【請求項１】
被加熱対象となる負荷を電磁誘導加熱する加熱手段と、この加熱手段の加熱電力を設定する電力設定手段と、この電力設定手段で設定される設定電力を表示する電力表示手段と、前記電力設定手段の設定電力に基づいて前記加熱手段および前記電力表示手段を制御する制御手段とを備えた電磁誘導加熱調理器において、
前記電力設定手段は、前記加熱手段の加熱電力が離散的に次第に変化するように複数の段階に設定するものであり、
前記電力表示手段は、上記電力設定手段で設定される各段階の設定電力を一つおきに間引きした残りの段階の設定電力の数に相当する個数の点灯表示部を有し、これらの各点灯表示部が間引き後の設定電力の各大きさに対応して個別に割り当てられて順次配列されており、
前記制御手段は、上記電力設定手段で段階的に設定される設定電力の大きさが、間引き後の残りの設定電力に該当する場合にはこの設定電力に該当する点灯表示部を含めそれよりも小さい側に位置する各点灯表示部を全て常時点灯状態に制御する一方、間引きされた中間段階の設定電力に該当する場合には、この設定電力よりも小さい側に位置する各点灯表示部を全て常時点灯状態に、この設定電力よりも一つ大きい側に位置する点灯表示部を点滅状態になるように制御するものである電磁誘導加熱調理器。
【請求項２】
複数の段階に割り当てられた加熱電力の設定データが予め記憶されたテーブルメモリを備え、前記制御手段は、前記電力設定手段で設定される設定電力の大きさに対応する設定データを前記テーブルメモリから読み出し、この設定データに基づいて前記加熱手段および前記電力表示手段を制御するものである請求項１記載の電磁誘導加熱調理器。
【請求項３】
前記テーブルメモリには、複数の段階に割り当てられた加熱電力の設定データが互いに異なる変化曲線となるような複数種類のテーブルが予め記憶される一方、前記複数種類のテーブルの内から一種類のテーブルを前記制御手段で読み出し可能にするテーブル選択手段を備える請求項２記載の電磁誘導加熱調理器。
【発明の詳細な説明】
【技術分野】
【０００１】
本発明は、電磁誘導加熱調理器に係り、特には加熱電力設定の表示技術に関する。
【背景技術】
【０００２】
一般に、加熱調理器においては、食材を適切な温度で調理する上で、ユーザが現在の加熱電力がどの程度に設定されているかを目視で容易に認識できるようにする必要がある。そのため、通常、操作パネルなどに電力設定手段で設定される加熱電力を段階的に表示するＬＥＤ等からなる電力表示部が設けられている。
【０００３】
また、食材を適切な温度で調理する上では、加熱電力をできるだけ細かく設定できるようにすることが好ましいが、例えば電力設定手段の加熱電力を細かく（例えば１２段階）設定できるようにすると、これに応じて電力表示部を構成するＬＥＤの個数も増加し、設置面積に制約のある操作パネルにこれらのＬＥＤを全て順序良く配列することが難しくなる。
【０００４】
そこで、従来技術では、操作パネル上に電力設定スイッチ、中間段階調整つまみ、６個のＬＥＤ、および１個のＬＥＤをそれぞれ配置したものがあり、電力設定スイッチで６段階の加熱電力が設定されるのに応じて、その各段階の加熱電力を６個のＬＥＤで表示し、また、中間段階調整つまみで６段階のそれぞれの中間の加熱電力が設定されるのに応じて、１個のＬＥＤで中間の加熱電力を、輝度、一定周期内の点灯時間あるいは点滅周期を変化させるなどして表示するようにしたものが提案されている（例えば、下記の特許文献１参照）。
【０００５】
なお、この特許文献１記載の従来技術では、中間段階表示用のＬＥＤを省略し、中間段階調整つまみで６段階のそれぞれの中間の加熱電力が設定されるのに応じて、各段階の加熱電力を表示する６個のＬＥＤの内の一つを点滅させるなどして中間段階表示用のＬＥＤを兼用させることも可能である点が示されている。
【先行技術文献】
【特許文献】
【０００６】
【特許文献１】特開２００３−１８５１５１号公報
【発明の概要】
【発明が解決しようとする課題】
【０００７】
ところで、上記の特許文献１記載の従来技術の場合、電力設定手段により加熱電力を細かく設定でき、かつ操作パネルの設置面積に制約がある場合でも、電力表示用のＬＥＤの個数を徒に増加させる必要がないという利点があるものの、未だ次の課題がある。
【０００８】
すなわち、（１）従来技術では６段階のそれぞれの中間の加熱電力を設定する上で専用の中間段階調整つまみを設ける必要があるため、部品点数が増加するとともに、操作パネルの設置面積の縮小化の制約になる。（２）中間段階の加熱電力を設定するには、電力設定スイッチを操作した後に、中間段階調整つまみによる別操作が必要となるので、加熱電力の設定操作が煩雑である。（３）中間段階調整つまみにより設定される中間段階の加熱電力はアナログ的に連続して変化するため、ＬＥＤの点滅表示を見ただけでは具体的な加熱電力が分からない。（４）電力設定スイッチと中間段階調整つまみとで加熱電力を設定しても、その加熱電力の全体的な変化曲線は一義的に設定されていて一つの増減傾向を示すだけであり、被加熱対象となる負荷の状況に応じて、互いに異なる増減傾向になるように変化曲線を複数種類選択することができない。
【０００９】
本発明は、上記（１）〜（４）に指摘した従来の課題を全て解決し、今までよりも一層使い勝手のよい電磁誘導加熱調理器を提供することを目的とする。
【課題を解決するための手段】
【００１０】
上記の目的を達成するために、本発明は、鍋などの被加熱対象となる負荷を電磁誘導加熱する加熱手段と、この加熱手段の加熱電力を設定する電力設定手段と、この電力設定手段で設定される設定電力を表示する電力表示手段と、前記電力設定手段の設定電力に基づいて前記加熱手段および前記電力表示手段を制御する制御手段とを備えた電磁誘導加熱調理器において、次の構成を採用している。
【００１１】
すなわち、請求項１記載の発明では、前記電力設定手段は、前記加熱手段の加熱電力が離散的に次第に変化するように複数の段階に設定するものであり、前記電力表示手段は、上記電力設定手段で設定される各段階の設定電力を一つおきに間引きした残りの段階の設定電力の数に相当する個数の点灯表示部を有し、これらの各点灯表示部が間引き後の設定電力の各大きさに対応して個別に割り当てられて順次配列されており、前記制御手段は、上記電力設定手段で段階的に設定される設定電力の大きさが、上記間引き後の残りの設定電力に該当する場合には、この設定電力に該当する点灯表示部を含めそれよりも小さい側に位置する各点灯表示部を全て常時点灯状態に制御する一方、間引きされた中間段階の設定電力に該当する場合には、この設定電力よりも小さい側に位置する各点灯表示部を全て常時点灯状態に、この設定電力よりも一つ大きい側に位置する点灯表示部を点滅状態になるように制御するものである、ことを特徴としている。
【００１２】
また、請求項２記載の発明は、請求項１記載の発明の構成において、複数の段階に割り当てられた加熱電力の設定データが予め記憶されたテーブルメモリを備え、前記制御手段は、前記電力設定手段で設定される設定電力の大きさに対応する前期設定データを前記テーブルメモリから読み出し、この設定データに基づいて前記加熱手段および前記電力表示手段を制御するものであることを特徴としている。
【００１３】
また、請求項３記載の発明は、請求項２記載の発明の構成において、前記テーブルメモリには、複数の段階に割り当てられた加熱電力の設定データが互いに異なる変化曲線となるような複数種類のテーブルが予め記憶される一方、前記複数種類のテーブルの内から一種類のテーブルを前記制御手段で読み出し可能にするテーブル選択手段を備えることを特徴としている。
【発明の効果】
【００１４】
請求項１記載の発明によれば、従来のような専用の中間段階調整つまみを設ける必要がなく、また点灯表示部の数も徒に増やす必要がないので、部品点数の増加を抑えることができるとともに、操作パネルの設置面積の縮小化を図ることができる。また、電力設定は、電力設定手段を操作するだけでよく、従来のような専用の中間段階調整つまみによる別操作は不要であるので、設定操作が単純明快になる。しかも、現在どの加熱電力に設定されているかは、点灯表示部の表示状態を見ただけで容易に理解できる。このため、今までよりも一層使い勝手のよい電磁誘導加熱調理器を提供することが可能となる。
【００１５】
請求項２記載の発明によれば、加熱電力の設定値が予め記憶されたテーブルメモリを設け、制御手段がこのテーブルメモリの設定データに基づいて加熱手段および電力表示手段を制御するので、制御手段による制御が容易になる。
【００１６】
請求項３記載の発明によれば、テーブルメモリに複数の段階に割り当てられた加熱電力の設定データが互いに異なる変化曲線となるような複数種類のテーブルを予め記憶しておき、テーブル選択手段で複数種類のテーブルの内から一種類のテーブルを選択できるようにしているので、被加熱対象となる負荷の種類や状態に応じて適切な種類のテーブルを任意に選択することができ、一層使い勝手が良くなる。例えば、設定電力の小さい領域では加熱電力が段階的に細かく変化し、設定電力の大きい領域では加熱電力が段階的に粗く変化するような変化曲線をもつテーブルを任意に選択できるなど、電力設定の自由度が大きくなる。
【図面の簡単な説明】
【００１７】
【図１】本発明の実施の形態１における電磁誘導加熱調理器の構成を示すブロック図である。
【図２】同電磁誘導加熱調理器の操作パネルを示す平面図である。
【図３】同電磁誘導加熱調理器のアップダウンカウンタのカウント値とこれに対応するテーブルメモリの設定電力との関係を示す説明図である。
【図４】同電磁誘導加熱調理器の電力設定動作の説明に供するフローチャートである。
【図５】同電磁誘導加熱調理器の設定電力に対応する電力表示手段の表示状態を示す説明図である。
【図６】本発明の実施の形態２における電磁誘導加熱調理器のアップダウンカウンタのカウント値とこれに対応するテーブルメモリの設定電力との関係を示す説明図である。
【図７】図６に示すアップダウンカウンタのカウント値の変化に応じたテーブルメモリの設定データの変化状態を変化曲線として示す特性図である。
【図８】同電磁誘導加熱調理器の操作パネルを示す平面図である。
【発明を実施するための形態】
【００１８】
実施の形態１．
図１は本発明の実施の形態１における電磁誘導加熱調理器の構成を示すブロック図、図２は同電磁誘導加熱調理器の操作パネルを示す平面図である。
【００１９】
この実施の形態１における電磁誘導加熱調理器は、加熱手段１、電力設定手段２、テーブルメモリ３、電力表示手段４、および制御手段５を備える。
【００２０】
ここに、加熱手段１は、鍋などの被加熱対象となる負荷を電磁誘導加熱するもので、その構成自体は周知である。
【００２１】
電力設定手段２は、加熱手段１の加熱電力が離散的に次第に変化するように複数の段階に設定するものであり、操作パネル７に配置された火力アップスイッチＳＷ３と火力ダウンスイッチＳＷ４が設けられるとともに、アップダウンカウンタ６を備えて構成されている。そして、アップダウンカウンタ６は、火力アップスイッチＳＷ３の操作に応じてそのカウント値を増加させ、火力ダウンスイッチＳＷ４の操作に応じてそのカウント値を減少させる。
【００２２】
テーブルメモリ３は、複数の段階に割り当てられた加熱電力の設定データが予め記憶されている。すなわち、このテーブルメモリ３には、図３に示すように、アップダウンカウンタ６のカウント値に対応した１２段階の加熱電力の設定データが予め登録されている。したがって、火力アップスイッチＳＷ３あるいは火力ダウンスイッチＳＷ４を操作することによりアップダウンカウンタ６のカウント値が変化し、これに伴い、ここでは２５０Ｗ〜３０００Ｗの範囲で２５０Ｗ刻みで段階的に加熱電力が設定される。
【００２３】
電力表示手段４は、電力設定手段２で設定される設定電力を表示するもので、図２に示すように、操作パネル７に順次配列された複数の点灯表示部ＰＬ３〜ＰＬ８からなる。この場合、各点灯表示部ＰＬ３〜ＰＬ８は、ここではＬＥＤで構成されているが他の表示ランプであってもよい。
【００２４】
そして、各点灯表示部ＰＬ３〜ＰＬ８は、電力設定手段２で設定される１２段階の設定電力を一つおきに間引きした残りの段階の設定電力の数に相当する個数（ここでは６個）だけ設けられていて、これらの各点灯表示部ＰＬ３〜ＰＬ８が間引き後の設定電力の大きさに対応して個別に割り当てられている。したがって、この実施の形態１では、操作パネル７の各点灯表示部ＰＬ３〜ＰＬ８は、２５０Ｗ〜３０００Ｗの電力範囲から２５０Ｗ、７５０Ｗ、１２５０Ｗ、１７５０Ｗ、２２５０Ｗ、２７５０Ｗをそれぞれ間引いた残りの５００Ｗ、１０００Ｗ、１５００Ｗ、２０００Ｗ、２５００Ｗ、３０００Ｗの６段階の設定電力にそれぞれ対応しており、そのことがユーザにも分かるように、各点灯表示部ＰＬ３〜ＰＬ８の上部には設定電力が数値で記入されている。
【００２５】
なお、操作パネル７には、上記の火力アップスイッチＳＷ３、火力ダウンスイッチＳＷ４、および点灯表示部ＰＬ３〜ＰＬ８に隣接して電源をオン／オフする電源スイッチＳＷ１、この電源スイッチＳＷ１の操作に伴う電源のオン／オフ状態を表示するＬＥＤからなる電源表示部ＰＬ１、加熱手段１による電磁誘導加熱の運転／停止を切替える運転スイッチＳＷ２、この運転スイッチＳＷ２による運転／停止状態を表示するＬＥＤからなる運転表示部ＰＬ２が設けられている。
【００２６】
制御手段５は、電力設定手段２のアップダウンカウンタ６で設定されるカウント値に対応した設定データをテーブルメモリ３から読み出し、この設定データに基づいて加熱手段１および電力表示手段４の制御を行う。この場合の制御手段５による各点灯表示部ＰＬ３〜ＰＬ８の点灯制御の具体的な内容については、後に詳述する。
【００２７】
次に、上記構成における同電磁誘導加熱調理器の電力設定動作および電力表示の制御について図４に示すフローチャート、および図５に示す電力表示手段４の表示状態を示す説明図を参照して説明する。
【００２８】
電源スイッチＳＷ１をオンにして電源投入すると、アップダウンカウンタ６のカウント値がリセットされてカウント値が“１”になる（Ｓ１）。そして、運転スイッチＳＷ２をオンにして加熱手段１による電磁誘導加熱の運転を開始した後、所望の加熱電力に設定するために火力アップスイッチＳＷ３あるいは火力ダウンスイッチＳＷ４を操作する。その場合、例えば火力アップスイッチＳＷ３が押下されると（Ｓ２）、アップダウンカウンタ６のカウント値が“１２”未満であれば（Ｓ３）、カウント値がインクリメントされる（Ｓ４）。また、火力ダウンスイッチＳＷ４が押下されると（Ｓ５）、アップダウンカウンタ６のカウント値が“１”以外であれば（Ｓ６）、カウント値がディクリメントされる（Ｓ７）。
【００２９】
このように、火力アップスイッチＳＷ３あるいは火力ダウンスイッチＳＷ４を操作することによりアップダウンカウンタ６のカウント値が変化し、これに伴って、テーブルメモリ３に記憶されている設定データの内からカウント値に対応した設定データが指定されるので、制御手段５は、アップダウンカウンタ６で指定されるカウント値に対応した設定データをテーブルメモリ３から読み出す。したがって、２５０Ｗ〜３０００Ｗの範囲内で２５０Ｗ刻みで段階的に加熱電力が設定されるので、制御手段５は、その設定された加熱電力になるように加熱手段１を制御する。また、制御手段５は、各点灯表示部ＰＬ３〜ＰＬ８の制御を以下のようにして行う。
【００３０】
図５に示すように、まず、電力設定手段２で段階的に設定される設定電力の大きさが、間引き後の残りの設定電力の大きさに対応して割り当てられた６段階の設定電力（５００Ｗ、１０００Ｗ、１５００Ｗ、２０００Ｗ、２５００Ｗ、３０００Ｗ）に該当する場合には、この設定電力に該当する点灯表示部を含めこれよりも小さい側に位置する各点灯表示部を全て常時点灯状態に制御する。例えば、設定電力が１０００Ｗの場合には、５００Ｗと１０００Ｗに該当する点灯表示部ＰＬ３，ＰＬ４が全て常時点灯状態（図５の黒丸印）となる。
【００３１】
一方、電力設定手段２で段階的に設定される設定電力の大きさが、間引きされた中間段階の設定電力（２５０Ｗ、７５０Ｗ、１２５０Ｗ、１７５０Ｗ、２２５０Ｗ、２７５０Ｗ）に該当する場合には、この設定電力よりも小さい側に位置する各点灯表示部を全て常時点灯状態に、設定電力よりも一つ大きい側に位置する点灯表示部を点滅状態になるように制御する。例えば、設定電力が１２５０Ｗの場合には、５００Ｗと１０００Ｗに該当する点灯表示部ＰＬ３，ＰＬ４が全て常時点灯状態（図５の黒丸印）になるとともに、１５００Ｗに該当する点灯表示部ＰＬ５が点滅状態（図５の星印）になる。
【００３２】
したがって、ユーザは、各点灯表示部ＰＬ３〜ＰＬ８の表示状態を見ただけで、電力設定手段２によって現在どの加熱電力に設定されているかを即座に理解することができる。
【００３３】
以上のように、この実施の形態１では、従来のような専用の中間段階調整つまみを設ける必要がなく、また点灯表示部の数も徒に増やす必要がないので、部品点数の増加を抑えることができるとともに、操作パネル７の設置面積の縮小化を図ることができる。また、電力設定は、電力設定手段２を操作するだけでよく、従来のような専用の中間段階調整つまみによる別操作は不要であるので、設定操作が単純明快になる。しかも、現在どの加熱電力に設定されているかは、点灯表示部ＰＬ３〜ＰＬ８の表示状態を見ただけで容易に理解できる。このため、今までよりも一層使い勝手のよい電磁誘導加熱調理器を提供することが可能となる。
【００３４】
さらに、この実施の形態１では、加熱電力の設定値が予め記憶されたテーブルメモリ３を設け、制御手段５がこのテーブルメモリ３の設定データに基づいて加熱手段１および電力表示手段４を制御するので、制御手段５による制御が容易になる。
【００３５】
実施の形態２．
この実施の形態２の電磁誘導加熱調理器の基本的な構成は、図１に示した実施の形態１と略同じである。ただし、この実施の形態２では、図６に示すように、テーブルメモリ３には、複数の段階に割り当てられた加熱電力の設定データが互いに異なる変化曲線となるような複数種類のテーブルが予め記憶されている。
【００３６】
すなわち、テーブルメモリ３には、本例の場合、テーブルＡとテーブルＢの二種類のテーブルが予め記憶されており、一方のテーブルＡは、実施の形態１の場合（図３）と同様、設定電力がアップダウンカウンタ６のカウント値に応じて２５０Ｗ〜３０００Ｗの範囲で２５０Ｗ刻みで段階的に変化する。また、他方のテーブルＢは、設定電力が小さい１００Ｗ〜６００Ｗの範囲の領域では加熱電力が段階的に細かく１００Ｗ刻みで段階的に変化し、設定電力が中間程度から大きい６００Ｗ〜３０００Ｗの範囲では３００Ｗ〜５００Ｗ刻みで段階的に変化する。したがって、テーブルＡとテーブルＢの設定データのアップダウンカウンタ６のカウント値に対応した各変化曲線は、それぞれ図７に示すようになる。
【００３７】
また、この実施の形態２では、テーブルメモリ３に記憶されているテーブルＡとテーブルＢのいずれか一方を制御手段５で読み出し可能にするテーブル選択手段としてのディップスイッチ８（図１に破線で示す）が設けられている。
【００３８】
さらに、図８に示すように、操作パネル７に配置された各点灯表示部ＰＬ３〜ＰＬ８に対して、このディップスイッチ８により選択されるテーブルＡまたはテーブルＢに応じた設定電力が数値で記入されている。すなわち、各点灯表示部ＰＬ３〜ＰＬ８の上部には、テーブルＡが選択された場合に対応して５００Ｗ、１０００Ｗ、１５００Ｗ、２０００Ｗ、２５００Ｗ、３０００Ｗの６段階の設定電力に対応した数値が、また各点灯表示部ＰＬ３〜ＰＬ８の下部には、テーブルＢが選択された場合に対応して２００Ｗ、４００Ｗ、６００Ｗ、１２００Ｗ、２０００Ｗ、３０００Ｗの６段階の設定電力に対応した数値がそれぞれ記入されている。
【００３９】
これにより、ディップスイッチ８によりテーブルＡとテーブルＢのいずれか一方が選択された場合、制御手段５は、この選択後のテーブルＡまたはテーブルＢに対してアップダウンカウンタ６で指定されたカウント値に応じた設定データを読み出し、この設定データに基づいて、実施の形態１と同様に加熱手段１および電力表示手段４の制御を行う。
【００４０】
したがって、この実施の形態２の場合も、ユーザは、点灯表示部ＰＬ３〜ＰＬ８の表示状態を見ただけで、電力設定手段２によって現在どの加熱電力に設定されているかを容易に理解することができる。
【００４１】
以上のように、この実施の形態２では、テーブルメモリ３に複数の段階に割り当てられた加熱電力の設定データが互いに異なる変化曲線となるような複数種類のテーブルＡ，Ｂを予め記憶しておき、ディップスイッチ８で複数種類のテーブルの内から一種類のテーブルを選択できるようにしているので、被加熱対象となる負荷の種類や状態に応じて適切な種類のテーブルを任意に選択することができ、一層使い勝手が良くなる。例えば、設定電力の小さい領域では加熱電力が段階的に細かく変化し、設定電力の大きい領域では加熱電力が段階的に粗く変化するような変化曲線をもつテーブルＢを任意に選択することが可能になるので、電力設定の自由度が大きくなる。
【００４２】
なお、上記の実施の形態２では、テーブルメモリ３には２種類のテーブルＡ，Ｂが記憶されているようにしているが、３種類以上のテーブルを予め記憶しておき、その内から一つのテーブルを選択するように構成することも可能である。
【００４３】
また、上記の各実施の形態１、２では、１２段階の温度設定が可能な場合について説明したが、１２段階まで細かく設定する必要はなく、むしろ各スイッチＳＷ３，ＳＷ４の操作回数が少ない方が良いというユーザの要望に対しては、上記のディップスイッチ８のモード切替操作に応じて６段階（例えば、５００Ｗ、１０００Ｗ、１５００Ｗ、２０００Ｗ、２５００Ｗ、３０００Ｗ）のみ電力設定できるようにすることも可能である。
【００４４】
さらに、本発明は上記の実施の形態１、２の構成に限定されるものではなく、その趣旨を逸脱しない範囲内において各種の変形を加えることが可能である。
【符号の説明】
【００４５】
１  加熱手段、２  電力設定手段、ＳＷ３  火力アップスイッチ、
ＳＷ４  火力ダウンスイッチ、３  テーブルメモリ、４  電力表示手段、
ＰＬ３〜ＰＬ８  点灯表示部、５  制御手段、６  アップダウンカウンタ、
７  操作パネル、８  ディップスイッチ（テーブル選択手段）。
【図１】
2012094458.tif 000003
【図２】
2012094458.tif 000004
【図３】
2012094458.tif 000005
【図４】
2012094458.tif 000006
【図５】
2012094458.tif 000007
【図６】
2012094458.tif 000008
【図７】
2012094458.tif 000009
【図８】
2012094458.tif 000010